【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
医療機器を遠隔管理するためのシステムであって、前記医療機器は低頻度の使用のためのものであり、前記システムは、
第１の場所に配置され、通信可能にネットワークに結合されるよう構成された、少なくとも１つの医療機器であって、前記少なくとも１つの医療機器は、
第１メモリと、
前記少なくとも１つの医療機器からの情報を送信する第１通信コンポーネントであって、前記情報は機器の準備情報を含む、第１通信コンポーネントと、
前記第１メモリ及び前記第１通信コンポーネントと通信可能に結合された第１プロセッサであって、
毎日及び毎週のうち少なくとも１つの頻度で、自己診断を開始し、
前記自己診断に基づいて前記機器の準備情報を生成し、
前記機器の準備情報を前記第１メモリに格納し、
前記第１通信コンポーネントを制御して、前記第１メモリに格納された予め定められたスケジュールに従って前記機器の準備情報を送信するよう構成された、第１プロセッサと、
第２の場所に配置され、前記ネットワークに通信可能に結合するよう構成された、少なくとも１つのサーバ機器であって、前記サーバ機器は、
第２メモリと、
前記第２メモリに通信可能に結合されている第２プロセッサであって、前記第２メモリは、前記第２プロセッサにより実行された場合、前記第２プロセッサに複数のコンポーネントを開始させる命令を有し、前記複数のコンポーネントは、
前記少なくとも１つの医療機器からの前記情報を受信する第２通信コンポーネントと、
ユーザへの前記情報の表現を表示する、グラフィカルユーザインターフェース（ＧＵＩ）コンポーネントと
を含む、第２プロセッサと
を備える
システム。
【請求項２】
前記第１通信コンポーネント及び前記第２通信コンポーネントは双方向に通信する、請求項１に記載のシステム。
【請求項３】
前記少なくとも１つの医療機器は、バッテリにより電力を供給され、前記機器の準備情報は前記バッテリの電池残量に関連する情報を含む、請求項１又は２に記載のシステム。
【請求項４】
前記機器の準備情報は、前記少なくとも１つの医療機器の少なくとも１つの患者インターフェースコンポーネントの電池残量に関連する情報を含む、請求項１から３のいずれか１項に記載のシステム。
【請求項５】
前記少なくとも１つの患者インターフェースコンポーネントは、複数の除細動電極を含む、請求項４に記載のシステム。
【請求項６】
前記少なくとも１つの医療機器は、自動体外式除細動器（ＡＥＤ）を含む、請求項１から５のいずれか１項に記載のシステム。
【請求項７】
前記少なくとも１つの医療機器は緊急事態に使用するためのものである、請求項１から６のいずれか１項に記載のシステム。
【請求項８】
前記情報は、医療的イベントの間に前記少なくとも１つの医療機器により記録された臨床イベント情報、及び機器の性能情報のうち少なくとも１つを含み、
前記第１プロセッサは、
前記臨床イベント情報を含む、臨床イベントファイルを生成し、
前記臨床イベントファイルを前記第１メモリに格納し、
前記機器の性能情報を前記第１メモリに格納し、前記機器の性能情報は前記医療的イベント中の前記少なくとも１つの医療機器により実行される機能の情報を含み、
前記第１通信コンポーネントを制御して、前記臨床イベント情報及び前記機器の性能情報のうち少なくとも１つを送信する、よう構成される、
請求項１から７のいずれか１項に記載のシステム。
【請求項９】
前記臨床イベント情報は、前記少なくとも１つの医療機器が使用された臨床イベントの間に記録された、患者に関連する少なくとも１つの生理的パラメータを含む、請求項８に記載のシステム。
【請求項１０】
前記少なくとも１つのサーバは、構成ファイルを前記少なくとも１つの医療機器に提供する構成コンポーネントを含む、請求項１から９のいずれか１項に記載のシステム。
【請求項１１】
前記少なくとも１つのサーバは、ソフトウェアアップデートを前記少なくとも１つの医療機器に提供するアップデートコンポーネントを含む、請求項１から１０のいずれか１項に記載のシステム。
【請求項１２】
前記第１通信コンポーネントは更に、イベント又は状況が発生すると、前記少なくとも１つの医療機器から前記機器の準備情報を自動的に送信する、請求項１から１１のいずれか１項に記載のシステム。
【請求項１３】
前記イベント又は状況は、バッテリレベルの閾値より下への低下及び機器の準備不良の発生のうちの１つ又は組み合わせである、請求項１２に記載のシステム。
【請求項１４】
前記機器の準備情報は、複数の除細動電極の状態を含む、請求項１３に記載のシステム。
【請求項１５】
前記複数の除細動電極の前記状態は、電極の使用期限情報、前記複数の除細動電極についての継続性阻害を示す自己診断結果、前記複数の除細動電極の操作可能性を示す自己診断結果のうちの１又は複数の情報を含む、請求項１４に記載のシステム。
【請求項１６】
前記臨床イベント情報は、心拍情報を含む、請求項８に記載のシステム。
【請求項１７】
前記心拍情報は、心電図、波形、心肺蘇生分析、及び心拍のうちの１又は複数の情報を含む、請求項１６に記載のシステム。
【請求項１８】
前記機器の性能情報は、もたらされた除細動ショックについての除細動ショック情報を含む、請求項８に記載のシステム。
【請求項１９】
前記第１通信コンポーネントは、ＷｉＦｉインターフェイスを含む、請求項１から１８のいずれか１項に記載のシステム。
【請求項２０】
前記第１通信コンポーネントは、セルラ通信を行うよう構成される、請求項１から１９のいずれか１項に記載のシステム。
【請求項２１】
前記第１通信コンポーネントは、前記ネットワークを介した前記少なくとも１つのサーバ機器との無線通信を行うよう構成される、請求項１から２０のいずれか１項に記載のシステム。
【請求項２２】
前記少なくとも１つの医療機器は位置特定システムを含み、
前記第１プロセッサは、前記第１通信コンポーネントを制御して少なくとも１つの医療機器の位置を送信するよう構成される、請求項１から２１のいずれか１項に記載のシステム。
【請求項２３】
前記第１プロセッサは、前記第１通信コンポーネントを制御して、前記少なくとも１つのサーバ機器からの要求なしで、前記少なくとも１つの医療機器から前記ネットワークを介して自動的に前記情報を送信するよう構成される、請求項１から２２のいずれか１項に記載のシステム。
【請求項２４】
前記第１プロセッサは、前記第１通信コンポーネントを制御して、前記少なくとも１つのサーバ機器からの要求に応じて、前記少なくとも１つの医療機器から前記ネットワークを介して、前記臨床イベント情報及び前記機器の性能情報を送信するよう構成される、請求項８に記載のシステム。
【請求項２５】
前記第１プロセッサは、前記第１通信コンポーネントを制御して、前記医療的イベントの後に、前記少なくとも１つの医療機器から前記ネットワークを介して、前記臨床イベント情報及び前記機器の性能情報のうち前記少なくとも１つを送信するよう構成される、請求項８に記載のシステム。
【手続補正２】
【補正対象書類名】明細書
【補正対象項目名】発明の名称
【補正方法】変更
【補正の内容】
【発明の名称】医療機器の管理のためのシステム
【手続補正３】
【補正対象書類名】明細書
【補正対象項目名】０１４３
【補正方法】変更
【補正の内容】
【０１４３】
本開示の範囲から逸脱することなく、記載された複数の例示的な実施形態に対して、様々な変更及び追加を行うことが出来る。例えば、上述の実施形態は特定の特徴を指すが、本開示の範囲はまた、複数の特徴の異なる組み合わせを含む実施形態、及び、説明された全ての特徴を含まない実施形態も有する。従って、このような全ての代替例、変更例、及び変形例は特許請求の範囲に含まれるものであり、それらの全ての均等例と共に、本開示の範囲に包含されることを意図する。
［項目１］
医療機器を遠隔管理するためのシステムであって、前記システムは、
第１の場所に配置された医療機器であって、前記医療機器は、医療的状況における低頻度の使用のためのものであり、前記医療機器は、ネットワークを介して情報を伝送する第１通信コンポーネントを有する、医療機器と、
第２の場所に配置され、かつ、前記ネットワークに通信可能に結合されているサーバ機器であって、前記サーバ機器は、メモリ、及び前記メモリと通信可能に結合されているプロセッサを有し、前記メモリは、前記プロセッサにより実行された場合、前記プロセッサに少なくとも１つのコンポーネントを開始させる命令を含み、前記少なくとも１つのコンポーネントは、
機器の準備情報を含む前記情報を受信する第２通信コンポーネントと、
ユーザへ前記情報の表現を表示する、グラフィカルユーザインターフェース（ＧＵＩ）コンポーネントとを含む、
サーバ機器とを備え、
上記第１通信コンポーネントは更に、自動的に、かつ上記サーバ機器からの要求なしに、上記ネットワークを介して上記情報を伝送する、
システム。
［項目２］
上記第２通信コンポーネントは、上記第１通信コンポーネントと双方向に通信する、項目１に記載のシステム。
［項目３］
上記医療機器はバッテリにより電力を供給され、上記機器の準備情報は上記バッテリの電池残量に関連する情報を含む、項目１又は２に記載のシステム。
［項目４］
上記機器の準備情報は、上記医療機器の少なくとも１つの患者インターフェースコンポーネントの電池残量に関連する情報を含む、項目１から３のいずれか１項に記載のシステム。
［項目５］
上記少なくとも１つの患者インターフェースコンポーネントは、少なくとも１つの除細動電極を含む、項目４に記載のシステム。
［項目６］
上記医療機器は、自動体外式除細動器（ＡＥＤ）を含む、項目１から５のいずれか１項に記載のシステム。
［項目７］
追加の医療機器を更に備え、上記追加の医療機器は上記サーバ機器を含む、項目１から６のいずれか１項に記載のシステム。
［項目８］
上記追加の医療機器は、自動体外式除細動器（ＡＥＤ）を含む、項目７に記載のシステム。
［項目９］
上記医療機器は緊急事態に使用するためのものである、項目１から８のいずれか１項に記載のシステム。
［項目１０］
上記ネットワークは、無線ローカルエリアネットワーク（ＷＬＡＮ）を含む、項目１から９のいずれか１項に記載のシステム。
［項目１１］
上記ＷＬＡＮは、ＷｉＦｉ（登録商標）ネットワークを含む、項目１０に記載のシステム。
［項目１２］
上記サーバ機器は更に、構成ファイル及びソフトウェアアップデートのうちの少なくとも１つを、上記医療機器に提供する、項目１から１１のいずれか１項に記載のシステム。
［項目１３］
（１）上記情報を上記医療機器から受信し、（２）上記情報を上記サーバ機器に提供する、追加のサーバ機器を更に備える、項目１から１２のいずれか１項に記載のシステム。
［項目１４］
上記メモリは第１メモリであり、上記医療機器は第２のメモリを有し、上記第２のメモリはスケジュールを含み、上記第１通信コンポーネントは更に、上記スケジュールに従って、自動的に、かつ上記サーバ機器からの要求なしに、上記ネットワークを介して上記情報を伝送する、項目１から１３のいずれか１項に記載のシステム。
［項目１５］
上記第１通信コンポーネントは更に、イベント又は状況が発生すると、自動的に、かつ上記サーバ機器からの要求なしに、上記ネットワークを介して上記情報を伝送する、項目１から１４のいずれか１項に記載のシステム。
［項目１６］
上記イベント又は状況は、上記医療機器の電源オフ、上記医療機器のドッキング、時間の経過、上記ネットワークを介して上記情報が伝送されてからの時間の経過、上記医療機器が使用された医療的イベントの結果、バッテリレベルの閾値より下への低下、及び、機器の準備不良の発生、からなるグループより選択される、複数のイベント又は状況のうちの１つ又は組み合わせである、項目１５に記載のシステム。
［項目１７］
医療機器を遠隔管理するためのシステムであって、上記システムは、
第１の場所に配置された医療機器であって、上記医療機器は、医療的状況における低頻度の使用のためのものであり、上記医療機器は、ネットワークを介して情報を伝送する第１通信コンポーネントを有する、医療機器と、
第２の場所に配置され、かつ、上記ネットワークに通信可能に結合されているサーバ機器であって、上記サーバ機器は、メモリ、及び上記メモリと通信可能に結合されているプロセッサを有し、上記メモリは、上記プロセッサにより実行された場合、上記プロセッサに少なくとも１つのコンポーネントを開始させる命令を含み、上記少なくとも１つのコンポーネントは、
機器の性能情報を含む上記情報を受信する第２通信コンポーネントと、
ユーザへ上記情報の表現を表示する、グラフィカルユーザインターフェース（ＧＵＩ）コンポーネントとを含む、
サーバ機器とを備え、
上記第１通信コンポーネントは更に、自動的に、かつ上記サーバ機器からの要求なしに、上記ネットワークを介して上記情報を伝送する、
システム。
［項目１８］
上記第２通信コンポーネントは上記第１通信コンポーネントと双方向に通信する、項目１７に記載のシステム。
［項目１９］
上記医療機器は、バッテリにより電力を供給され、上記機器の準備情報は上記バッテリの電池残量に関連する情報を含む、項目１７又は１８に記載のシステム。
［項目２０］
上記機器の準備情報は、上記医療機器の少なくとも１つの患者インターフェースコンポーネントの電池残量に関連する情報を含む、項目１７から１９のいずれか１項に記載のシステム。
［項目２１］
上記少なくとも１つの患者インターフェースコンポーネントは、少なくとも１つの除細動電極を含む、項目２０に記載のシステム。
［項目２２］
上記医療機器は自動体外式除細動器（ＡＥＤ）を含む、項目１７から２１のいずれか１項に記載のシステム。
［項目２３］
追加の医療機器を更に備え、上記追加の医療機器は上記サーバ機器を含む、項目１７から２２のいずれか１項に記載のシステム。
［項目２４］
上記追加の医療機器は、自動体外式除細動器（ＡＥＤ）を含む、項目２３に記載のシステム。
［項目２５］
上記医療機器は緊急事態に使用するためのものである、項目１７から２４のいずれか１項に記載のシステム。
［項目２６］
上記ネットワークは、無線ローカルエリアネットワーク（ＷＬＡＮ）を含む、項目１７から２５のいずれか１項に記載のシステム。
［項目２７］
上記ＷＬＡＮは、ＷｉＦｉネットワークを含む、項目２６に記載のシステム。
［項目２８］
上記サーバ機器は更に、構成ファイル及びソフトウェアアップデートのうちの少なくとも１つを、上記医療機器に提供する、項目１７から２７のいずれか１項に記載のシステム。
［項目２９］
（１）上記情報を上記医療機器から受信し、（２）上記情報を上記サーバ機器に提供する、追加のサーバ機器を更に備える、項目１７から２８のいずれか１項に記載のシステム。
［項目３０］
上記メモリは第１メモリであり、上記医療機器は第２のメモリを有し、上記第２のメモリはスケジュールを含み、上記第１通信コンポーネントは更に、上記スケジュールに従って、自動的に、かつ上記サーバ機器からの要求なしに、上記ネットワークを介して上記情報を伝送する、項目１７から２９のいずれか１項に記載のシステム。
［項目３１］
上記第１通信コンポーネントは更に、イベント又は状況が発生すると、自動的に、かつ上記サーバ機器からの要求なしに、上記ネットワークを介して上記情報の伝送をする、項目１７から３０のいずれか１項に記載のシステム。
［項目３２］
上記イベント又は状況は、上記医療機器の電源オフ、上記医療機器のドッキング、時間の経過、上記ネットワークを介して上記情報が伝送されてからの時間の経過、上記医療機器が使用された医療的イベントの結果、バッテリレベルの閾値より下への低下、及び、機器の準備不良の発生、からなるグループより選択される、複数のイベント又は状況のうちの１つ又は組み合わせである、項目３１に記載のシステム。
［項目３３］
医療的状況における低頻度の使用のためのものである医療機器を遠隔管理するためのシステムであって、上記医療機器は第１の場所にあり、上記システムは、
メモリと、
上記メモリに通信可能に結合されているプロセッサであって、上記メモリは、上記プロセッサにより実行された場合、上記プロセッサに少なくとも１つのコンポーネントを開始させる命令を有し、上記少なくとも１つのコンポーネントは、
上記医療機器が処置モードでない間に上記医療機器から情報を受信する通信コンポーネントであって、上記情報は、上記医療機器が処置モードであった間に記録された臨床イベント情報を含む、通信コンポーネントと、
第２の場所にいるユーザへ上記情報の表現を表示する、グラフィカルユーザインターフェース（ＧＵＩ）コンポーネントと
を含む、
プロセッサとを備える、
システム。
［項目３４］
上記医療機器は、自動体外式除細動器（ＡＥＤ）を含む、項目３３に記載のシステム。
［項目３５］
上記通信コンポーネントは更に、自動的に、かつ上記ＡＥＤからの上記情報を要求することなしに、上記ＡＥＤから上記情報を受信する、項目３４に記載のシステム。
［項目３６］
上記通信コンポーネントは更に、自動的に、かつ上記医療機器からの上記情報を要求することなしに、上記医療機器から上記情報を受信する、項目３３から３５のいずれか１項に記載のシステム。
［項目３７］
上記メモリは第１メモリであり、上記医療機器は第２のメモリを含み、上記第２のメモリはスケジュールを含み、上記通信コンポーネントは更に、上記スケジュールに従って、自動的かつ上記医療機器からの上記情報を要求することなしに、上記医療機器からの上記情報の受信をする、項目３６に記載のシステム。
［項目３８］
上記通信コンポーネントは更に、イベント又は状況が発生すると、自動的に、かつ上記医療機器からの上記情報を要求することなしに、上記医療機器から上記情報を受信する、項目３６又は３７に記載のシステム。
［項目３９］
上記イベント又は状況は、上記医療機器の電源オフ、上記医療機器のドッキング、時間の経過、ネットワークを介して上記情報が伝送されてからの時間の経過、上記医療機器が使用された医療的イベントの結果、バッテリレベルの閾値より下への低下、及び、機器の準備不良の発生、からなるグループより選択される、複数のイベント又は状況のうちの１つ又は組み合わせである、項目３８に記載のシステム。
［項目４０］
上記臨床イベント情報は、患者に対して上記ＡＥＤが使用された臨床イベントの間に記録された、上記患者に関連する少なくとも１つの生理的パラメータを含む、項目３４又は３５に記載のシステム。
［項目４１］
プロセッサにより実行された場合に、少なくとも１つのプログラムコンポーネントを上記プロセッサに開始させるためのプログラムであって、上記少なくとも１つのプログラムコンポーネントは、
医療機器から情報を受信する通信コンポーネントであって、上記情報は、臨床イベント情報、機器の性能情報、及び機器の準備情報のうちの２つ以上を含む、通信コンポーネントと、
上記情報の管理を可能にする機器ダッシュボードと
を有する、
プログラム。
［項目４２］
上記機器の準備情報は、上記医療機器のバッテリ、及び少なくとも１つの患者インターフェースコンポーネントのうちの少なくとも１つの電池残量に関連する情報を有する、項目４１に記載のプログラム。
［項目４３］
上記少なくとも１つの患者インターフェースコンポーネントは、除細動電極を有する、項目４２に記載のプログラム。
［項目４４］
上記情報は臨床イベント情報、機器の性能情報、及び機器の準備情報を有する、項目４１から４３のいずれか１項に記載のプログラム。
［項目４５］
上記医療機器は、自動体外式除細動器（ＡＥＤ）を有する、項目４１から４４のいずれか１項に記載のプログラム。
［項目４６］
上記少なくとも１つのコンポーネントは更に、構成ファイルを上記医療機器に提供する構成コンポーネントを有する、項目４１から４５のいずれか１項に記載のプログラム。
［項目４７］
上記少なくとも１つのコンポーネントは更に、ソフトウェアアップデートを上記医療機器に提供するアップデートコンポーネントを含む、項目４１から４６のいずれか１項に記載のプログラム。
［項目４８］
第１の場所に配置された医療機器を遠隔管理するためのシステムであって、上記医療機器は、医療的状況における低頻度の使用のためのものであり、上記システムは、
ネットワークに通信可能に結合されているサーバ機器であって、上記サーバ機器は、メモリ及び上記メモリに通信可能に結合されているプロセッサを含み、上記メモリは、上記プロセッサにより実行された場合、上記プロセッサに少なくとも１つのコンポーネントを開始させる命令を含み、上記少なくとも１つのコンポーネントは、
上記医療機器と双方向に通信する通信コンポーネントと、
上記医療機器の遠隔構成を可能にする構成コンポーネントであって、上記構成コンポーネントは更に、上記医療機器から、機器の種類、及び現行のソフトウェアのバージョンのうちの１又は複数をインディケートするメッセージを受信し、インディケーションに基づいて上記医療機器を自動的に構成する構成コンポーネントと、
第２の場所にいるユーザと、上記構成コンポーネント及び上記通信コンポーネントのうちの少なくとも１つとの間のインタラクションを可能にする、グラフィカルユーザインターフェース（ＧＵＩ）と
を含むサーバ機器、を有するシステム。
［項目４９］
上記少なくとも１つのコンポーネントは更に、上記医療機器上で動作しているソフトウェアの遠隔管理を可能にするアップデートコンポーネントを含む、項目４８に記載のシステム。
［項目５０］
上記通信コンポーネントは更に、上記医療機器から情報を受信し、上記情報は臨床イベント情報、機器の性能情報、及び機器の準備情報のうちの２つ以上を含む、項目４８又は４９に記載のシステム。
［項目５１］
上記情報は、臨床イベント情報、機器の性能情報、及び機器の準備情報を含む、項目５０に記載のシステム。
［項目５２］
上記機器の準備情報は、上記医療機器のバッテリ、及び少なくとも１つの患者インターフェースコンポーネントのうちの少なくとも１つの電池残量に関連する情報を含む、項目５０又は５１に記載のシステム。
［項目５３］
上記少なくとも１つの患者インターフェースコンポーネントは、除細動電極を含む、項目５２に記載のシステム。
［項目５４］
上記医療機器は、自動体外式除細動器（ＡＥＤ）を含む、項目４８から５３のいずれか１項に記載のシステム。
［項目５５］
第１の場所に配置された医療機器を遠隔管理するためのシステムであって、上記医療機器は医療的状況における低頻度の使用のためのものであり、上記システムは、
メモリと、
上記メモリに通信可能に結合されているプロセッサであって、上記メモリは、上記プロセッサにより実行された場合、上記プロセッサに少なくとも１つのコンポーネントを開始させる命令を有し、上記少なくとも１つのコンポーネントは、
上記医療機器からの情報を受信する通信コンポーネントであって、上記情報は機器の準備情報、機器の性能情報、及び臨床イベント情報のうちの２つ以上を含む、通信コンポーネントと、
ユーザへの上記情報の表現を表示する、グラフィカルユーザインターフェース（ＧＵＩ）コンポーネントと
を含む、プロセッサと
を備える
システム。
［項目５６］
上記通信コンポーネントは上記医療機器と双方向に通信する、項目５５に記載のシステム。
［項目５７］
上記通信コンポーネントは、上記医療機器から上記情報を自動的に伝送する、項目５５又は５６に記載のシステム。
［項目５８］
上記医療機器は、バッテリにより電力を供給され、上記機器の準備情報は上記バッテリの電池残量に関連する情報を含む、項目５５から５７のいずれか１項に記載のシステム。
［項目５９］
上記機器の準備情報は、上記医療機器の少なくとも１つの患者インターフェースコンポーネントの電池残量に関連する情報を含む、項目５５から５８のいずれか１項に記載のシステム。
［項目６０］
上記少なくとも１つの患者インターフェースコンポーネントは、少なくとも１つの除細動電極を含む、項目５９に記載のシステム。
［項目６１］
上記医療機器は、自動体外式除細動器（ＡＥＤ）を含む、項目５５から６０のいずれか１項に記載のシステム。
［項目６２］
上記医療機器は緊急事態に使用するためのものである、項目５５から６１のいずれか１項に記載のシステム。
［項目６３］
上記情報は臨床イベント情報、機器の性能情報、及び機器の準備情報を含む、項目５５から６２のいずれか１項に記載のシステム。
［項目６４］
上記臨床イベント情報は、上記医療機器が使用された臨床イベントの間に記録された、患者に関連する少なくとも１つの生理的パラメータを含む、項目５５から６３のいずれか１項に記載のシステム。
［項目６５］
上記少なくとも１つのコンポーネントは更に、構成ファイルを上記医療機器に提供する構成コンポーネントを含む、項目５５から６４のいずれか１項に記載のシステム。
［項目６６］
上記少なくとも１つのコンポーネントは更に、ソフトウェアアップデートを上記医療機器に提供するアップデートコンポーネントを含む、項目５５から６５のいずれか１項に記載のシステム。
［項目６７］
上記通信コンポーネントは更に、自動的に、かつ要求することなしに、上記医療機器から上記情報を受信する、項目５５から６６のいずれか１項に記載のシステム。
［項目６８］
上記メモリは第１メモリであり、上記医療機器は第２のメモリを有し、上記第２のメモリはスケジュールを含み、上記通信コンポーネントは更に、上記スケジュールに従って、自動的に、かつ要求なしに、上記医療機器から上記情報を受信する、項目６７に記載のシステム。
［項目６９］
上記通信コンポーネントは更に、イベント又は状況が発生すると、自動的に、かつ要求なしに、上記医療機器から上記情報を受信する、項目６７又は６８に記載のシステム。
［項目７０］
上記イベント又は状況は、上記医療機器の電源オフ、上記医療機器のドッキング、時間の経過、ネットワークを介して上記情報が伝送されてからの時間の経過、上記医療機器が使用された医療的イベントの結果、バッテリレベルの閾値より下への低下、及び、機器の準備不良の発生、からなるグループより選択される、複数のイベント又は状況のうちの１つ又は組み合わせである、項目６９に記載のシステム。